(57)【特許請求の範囲】
【請求項１】
ゴルフグローブを装着した状態で親指付け根と人差し指との間を強制的に密着させるゴルフ用矯正具であって、
親指を挿入するための親指挿入部と、
人差し指を挿入するための人差し指挿入部と、を有し、
前記親指挿入部の側面と前記人差し指挿入部の側面は、該親指挿入部の挿入面と該人差し指挿入部の挿入面の法線が互いに異なる方向を向くように結合されている、ことを特徴とするゴルフ用矯正具。
【請求項２】
前記親指挿入部の側面と前記人差し指挿入部の側面は、前記法線のなす角度αが０°＜α≦６０°となるように結合されていることを特徴とする請求項１に記載のゴルフ用矯正具。
【請求項３】
前記親指挿入部および前記人差し指挿入部から延びる手首固定部を更に有することを特徴とする請求項１又は２に記載のゴルフ用矯正具。
【請求項４】
前記手首固定部は、伸縮性を有する素材から構成され、手の甲側から延びて手首に巻いて固定するように用いられることを特徴とする請求項３に記載のゴルフ用矯正具。
【請求項５】
前記手首固定部は、前記親指挿入部および前記人差し指挿入部に近い第１の部位と、該第１の部位を基準として該親指挿入部および該人差し指挿入部から遠い第２の部位とから構成されており、
前記第２の部位の幅は、前記第１の部位の幅よりも狭いことを特徴とする請求項３又は４に記載のゴルフ用矯正具。
【請求項６】
前記手首固定部には収納部が設けられていることを特徴とする請求項３乃至５のいずれか１項に記載のゴルフ用矯正具。
【請求項７】
前記親指挿入部の側面と前記人差し指挿入部の側面は、熱圧着により結合されていることを特徴とする請求項１乃至６のいずれか１項に記載のゴルフ用矯正具。
【発明の詳細な説明】
【技術分野】
【０００１】
本発明はゴルフ用矯正具に係り、特にゴルフクラブのスイング時に親指付け根と人差し指とを強制的に密着させるためのゴルフ用矯正具に関する。
【背景技術】
【０００２】
ゴルフのスイングにおいて、アドレス時に行うグリップは、親指付け根と人差し指とを密着させ、Ｖ字型を形成することが好ましい。スイングの開始時から捻転運動を伴ったスイング軌道を形成しようとする場合、ゴルフクラブを握る親指付け根と人差し指は、アドレス時ではゴルフクラブの上方向に形成され荷重がないため、親指付け根は人差し指と密着し、人差し指の方向に力点を掛けた形となる。しかしながら、スイング開始に伴う捻転運動の過程で親指はその付け根部分からゴルフクラブの重量を支えるため、親指の腹部分へ無意識に力点が移動してしまう。
【０００３】
親指付け根と人差し指とでＶ字型を形成するとき、人差し指と密着させるために横方向に働いていた力がゴルフクラブを支えるため親指の腹へ移動する。その結果、親指付け根部分にかかっていた横方向の力は失われ、親指付け根と人差し指との間に隙間が生じやすくなる。このように親指付け根と人差し指との間に隙間が生じると、ゴルフクラブの軌道がずれてアドレス時のグリップ形成を損なうため、正しいスイング軌道を描くことができない。この結果、正しいゴルフスイングの習得が妨げられる。このことは、グリップの左右の掌に共通する現象であり、ゴルフスイングにおける基礎的な習得事項である。
【０００４】
特許文献１には、Ｖ字握りが自然に得られるように改良されたゴルフ用手袋が開示されている。このゴルフ用手袋では、親指挿入部の人差し指挿入部側の側部と、人差し指挿入部の親指挿入部側の側部とが、連結部により、親指の付け根部から第一関節近傍位置に亘って一体的に連結されている。このようなゴルフ用手袋により、親指と人差し指のＶ字握りを強制的に行うことができ、かつ、握りに窮屈さを感じることなくスムースなスイングを行うことができる。
【０００５】
また特許文献２には、ゴルフ用グローブの親指部と人差し指部の互いに対向する付け根部分を縫合によって結合したゴルフ用グローブが開示されている。このようなゴルフ用グローブにより、初心者や経験の浅い人にとっても、ゴルフスイング時の好ましいグリップ状態を保つことができる。
【先行技術文献】
【特許文献】
【０００６】
【特許文献１】特開２００４−４１６５３号公報
【特許文献２】特開２００４−６５８９０号公報
【発明の概要】
【発明が解決しようとする課題】
【０００７】
特許文献１、２では、いずれもゴルフグローブの親指挿入部と人差し指挿入部とを直接連結している。ところが、ゴルフクラブのグリップ時にＶ字型を形成する場合、親指と人差し指の方向は互いに異なる方向を向いている。このため、ゴルフグローブの親指挿入部と人差し指挿入部とを縫合などにより直接連結するだけでは、ゴルフクラブのグリップ時のＶ字型を自然な感覚で形成することはできない。
【０００８】
また、ゴルフグローブに直接このような矯正機能を持たせると、既に所持しているゴルフグローブを用いることができないなど、利用者にとって不便である。このため、利用者が既に所持している通常のゴルフグローブを装着しながらグリップの矯正を行うことができない。
【０００９】
そこで本発明は、通常のゴルフグローブを装着した状態で、自然な感覚で親指付け根と人差し指との間を強制的に密着させるゴルフ用矯正具を提供する。
【課題を解決するための手段】
【００１０】
本発明の一側面としてのゴルフ用矯正具は、ゴルフグローブを装着した状態で親指付け根と人差し指との間を強制的に密着させるゴルフ用矯正具であって、親指を挿入するための親指挿入部と、人差し指を挿入するための人差し指挿入部とを有し、前記親指挿入部の側面と前記人差し指挿入部の側面は、該親指挿入部の挿入面と該人差し指挿入部の挿入面の法線が互いに異なる方向を向くように結合されている。
【００１１】
本発明の他の目的及び特徴は、以下の実施例において説明される。
【発明の効果】
【００１２】
本発明によれば、通常のゴルフグローブを装着した状態で、自然な感覚で親指付け根と人差し指との間を強制的に密着させるゴルフ用矯正具を提供することができる。
【図面の簡単な説明】
【００１３】
【図１】本実施例におけるゴルフ用矯正具を左手に装着してゴルフクラブのグリップを握った状態を示す図である。
【図２】本実施例におけるゴルフ用矯正具を左手に装着した状態について、手の甲側から見た図である。
【図３】本実施例におけるゴルフ用矯正具を左手に装着した状態について、掌側から見た図である。
【図４】本実施例におけるゴルフ用矯正具を一方側から見た全体構成図である。
【図５】本実施例におけるゴルフ用矯正具を他方側から見た全体構成図である。
【図６】本実施例におけるゴルフ用矯正具の一方側の平面図である。
【図７】本実施例におけるゴルフ用矯正具の他方側の平面図である。
【図８】本実施例におけるゴルフ用矯正具の要部側面図である。
【発明を実施するための形態】
【００１４】
以下、本発明の実施例について、図面を参照しながら詳細に説明する。各図において、同一の部材については同一の参照番号を付し、重複する説明は省略する。
【００１５】
まず、図１乃至図３を参照して、本実施例におけるゴルフ用矯正具の概略について説明する。本実施例のゴルフ用矯正具は、ゴルフグローブを装着した状態で親指付け根と人差し指との間を強制的に密着させるように構成される。図１は、左手にゴルフ用矯正具を装着してゴルフクラブのグリップを握った状態を示す図である。図２は、左手にゴルフ用矯正具を装着した状態について、手の甲側から見た図である。図３は、左手にゴルフ用矯正具を装着した状態について、掌側から見た図である。
【００１６】
図１乃至図３において、１は本実施例におけるゴルフ用矯正具である。ゴルフ用矯正具１は、例えばゴムやサポータなどの伸縮性のある素材からなり、ゴルフグローブ３０の上から左手２０に装着されている。本実施例のゴルフ用矯正具１は、右利きの人に用いられることを前提とし、左手に装着するように構成されている。ただし本発明はこれに限定されるものではなく、左利きの人の右手に装着されるゴルフ用矯正具にも適用可能である。
【００１７】
ゴルフ用矯正具１は、親指２１を挿入するための親指挿入部２、および、人差し指を挿入するための人差し指挿入部３を備えて構成される。ゴルフ用矯正具１において、親指挿入部２の側面２ｃと人差し指挿入部３の側面３ｃとは結合部４にて結合されている。親指挿入部２の側面２ｃと人差し指挿入部３の側面３ｃは、例えば熱圧着により結合されているが、親指挿入部２と人差し指挿入部３との間が確実に結合可能であればこれに限定されるものではなく、他の方法により結合部４を形成してもよい。使用者は、図１に示されるように、ゴルフグローブ３０をはめた左手２０に本実施例のゴルフ用矯正具１を装着し、ゴルフクラブ４０のグリップを握る。
【００１８】
次に、図４乃至図８を参照して、本実施例におけるゴルフ用矯正具１の具体的構成について説明する。図４は、ゴルフ用矯正具１の一方側から見た全体構成図である。図５は、ゴルフ用矯正具１の他方側から見た全体構成図である。図６は、ゴルフ用矯正具１の一方側の平面図である。図７は、ゴルフ用矯正具１の他方側の平面図である。図８は、ゴルフ用矯正具１の要部側面図である。
【００１９】
図４乃至図８に示されるように、ゴルフ用矯正具１は、親指挿入部２、人差し指挿入部３、および、手首固定部５を備えて構成される。親指挿入部２には、親指２１を挿入する開口である挿入面２ａ、および、挿入面２ａから挿入した親指２１を抽出する開口である抽出面２ｂが形成されている。人差し指挿入部３には、人差し指３１を挿入する開口である挿入面３ａ、および、挿入面３ａから挿入した人差し指３１を抽出する開口である抽出面３ｂが形成されている。また、親指挿入部２の挿入面２ａと人差し指挿入部３の挿入面３ａは、それぞれの指の付け根の位置の違いに相当する段差６を設けて形成されている。このため、ゴルフ用矯正具１を親指２１および人差し指３１のそれぞれにフィットさせることができる。
【００２０】
手首固定部５は、親指挿入部２および人差し指挿入部３から延びるように設けられている。また手首固定部５は、伸縮性を有する素材から構成され、左手２０の手の甲側から延びて手首に巻いて固定される。このように、手首固定部５は掌側でなく手の甲側から巻かれるため、使用者は通常の使用感を妨げることなくゴルフクラブ４０を握ることができる。
【００２１】
図８に示されるように、本実施例のゴルフ用矯正具１において、親指挿入部２の側面２ｃと人差し指挿入部３の側面３ｃは、親指挿入部２の挿入面２ａ（抽出面２ｂ）の法線１２と人差し指挿入面３ａ（抽出面３ｂ）の法線１３が互いに異なる方向を向くように結合されている。親指２１と人差し指３１で形成すべき角度は、ウィークグリップ、スクエアグリップ、ストロンググリップ等の握り方により異なる。このため、各グリップにおいて親指２１と人差し指３１が適切な位置に置かれるようにゴルフ用矯正具１の親指挿入部２と人差し指挿入部３の各挿入面（断面）の法線１２、１３が互いに異なる方向を向くように設計することが好ましい。すなわち、親指挿入部２と人差し指挿入部３は、法線１２、１３が所定の角度αをなすように形成される。
【００２２】
本実施例において、親指挿入部２の側面２ｃと人差し指挿入部３の側面３ｃは、法線１２、１３のなす角度αが例えば０°＜α≦６０°となるように結合されている。角度αは上述の握り方に応じて適宜変更してもよい。このとき角度αは、例えばウィークグリップの場合には１５°≦α≦４０°、スクエアグリップの場合には３０°≦α≦５０°、ストロンググリップの場合には４０°≦α≦６０°にそれぞれ設定される。このように、親指挿入部２と人差し指挿入部３とが互いに所定の角度αをなすように互いの側面２ｃ、３ｃを結合することにより、上述のような各種の握り方のそれぞれに対応したゴルフ用矯正具を提供することができる。
【００２３】
図６および図７に示されるように、本実施例の手首固定部５は、親指挿入部２および人差し指挿入部３に近い第１の部位５ａと、第１の部位５ａを基準として親指挿入部２および人差し指挿入部３から遠い第２の部位５ｂとから構成されている。手首固定部５は、その幅を目的に応じて適宜変更することができる。例えば本実施例では、使用者の手の甲を確実に固定しつつ、手首の自然な捻りを可能にするため、第２の部位５ｂの幅Ｗ２が第１の部位５ａの幅Ｗ１よりも狭くなるように構成されている（Ｗ１＞Ｗ２）。
【００２４】
本実施例によれば、通常のゴルフグローブを装着した状態で、自然な感覚で親指付け根と人差し指との間を強制的に密着させるゴルフ用矯正具を提供することができる。例えば、親指挿入部の側面と人差し指挿入部の側面は、親指挿入部の挿入面と人差し指挿入部の挿入面の法線が互いに異なる方向を向くように結合されているため、親指と人差し指を、ゴルフクラブの握り方に応じて適切な位置に固定することが可能である。
【００２５】
また、親指挿入部および人差し指挿入部から延びる手首固定部を設けることにより、ゴルフスイング中に、親指および人差し指がそれぞれ親指挿入部および人差し指挿入部から抜けてしまうことを確実に防止することが可能である。また手首固定部は、伸縮性を有する素材から構成され、手の甲側から延びて手首に巻いて固定するように用いられるため、ゴルフ用矯正具を使用していない場合と同様の感覚で安定したスイングを行うことができる。
【００２６】
また、手首固定部は、手の甲に当たる部分の幅を広くして、手首に固定される部分の幅を狭くするため、ゴルフ用矯正具を手の甲で安定して固定することができ、かつ、スイング時に手首を捻る際に違和感が生じるのを抑制することができる。
【００２７】
以上、本発明の好ましい実施形態について説明したが、本発明はこれらの実施形態に限定されず、その要旨の範囲内で種々の変形及び変更が可能である。
【００２８】
例えば、本実施例の手首固定部に収納部を設けてもよい。収納部は例えばポケット状のものであり、手の甲の位置に設けられる。このような収納部に鉛などの重りを入れることにより、ゴルフ用矯正具の使用者は、手の甲が所定の目標方向を向いているかを意識しながらゴルフクラブのスイングを行うことができる。
【符号の説明】
【００２９】
１  ゴルフ用矯正具
２  親指挿入部
２ａ、３ａ  挿入面
２ｂ、３ｂ  抽出面
２ｃ、３ｃ  側面
３  人差し指挿入部
４  結合部
５  手首固定部
２０  左手
３０  ゴルフグローブ
４０  ゴルフクラブ
【図１】
0005702214.tif 000002
【図２】
0005702214.tif 000003
【図３】
0005702214.tif 000004
【図４】
0005702214.tif 000005
【図５】
0005702214.tif 000006
【図６】
0005702214.tif 000007
【図７】
0005702214.tif 000008
【図８】
0005702214.tif 000009